(57)【要約】      （修正有）【課題】コーンに取り付けられて設置面に対して垂直に立設でき、可撓性を有する素材で形成され、またコンパクトに折り畳みできる折り畳み式看板を提供する。【解決手段】標識を表示するための表面２ａを有し、コーン５０の長軸に沿って立設される看板部２と、表面２ａの反対面２ｂに取り付けられ、看板部に対して回動可能に構成される上部ステー３と、上部ステーの下方において、基端４ａが反対面２ｂに取り付けられ、看板部に対して回動可能に構成される下部ステー４を備え、看板部と、上部ステーと、下部ステーは、それぞれ側面視で直線状をなしており、上部ステーには、先端寄りに、コーンへ取り外し可能に係止される上部係止部が形成され、下部ステーには、先端寄りに、コーンへ取り外し可能に係止される下部係止部が形成される。【選択図】図１
0003218807.tif 000002
【実用新案登録請求の範囲】
【請求項１】
コーンに取り付けられて保持される折り畳み式看板であって、
標識を表示するための表面を有し、前記コーンの長軸に沿って立設される看板部と、
一端が前記表面の反対面へ取り付けられ、前記看板部に対して回動可能に構成される上部ステーと、
この上部ステーの下方において、基端が前記反対面へ取り付けられ、前記看板部に対して回動可能に構成される下部ステーを備え、
前記看板部と、前記上部ステーと、前記下部ステーは、それぞれ側面視で直線状をなしており、
前記上部ステーは、その他端寄りに、前記コーンへ取り外し可能に係止される上部係止部が形成され、
前記下部ステーは、その先端寄りに、前記コーンへ取り外し可能に係止される下部係止部が形成されることを特徴とする折り畳み式看板。
【請求項２】
前記上部ステー及び前記下部ステーは、それぞれ側面視で前記看板部に対して直角又は平行となるように回動可能であることを特徴とする請求項１に記載の折り畳み式看板。
【請求項３】
前記上部ステーの前記一端を前記看板部に対して回動可能に取り付けられるための第１のヒンジと、
前記下部ステーの前記基端を前記看板部に対して回動可能に取り付けられるための第２のヒンジを備え、
前記上部係止部は、前記コーンの最上部と前記コーンの底部の間の体部が挿通する体部挿通孔であり、
前記下部係止部は、前記コーンの前記底部が挿通する底部挿通孔であることを特徴とする請求項１又は請求項２に記載の折り畳み式看板。
【請求項４】
前記反対面の上部と前記上部ステーの間に介設される上部スペーサー、又は前記反対面の下部と前記下部ステーの間に介設される下部スペーサーを備え、
前記上部スペーサーの厚みは、前記下部ステーの厚みと同等であり、
前記下部スペーサーの厚みは、前記上部ステーの厚みと同等であることを特徴とする請求項１乃至請求項３のいずれか１項に記載の折り畳み式看板。
【請求項５】
前記看板部と、前記上部ステーと、前記下部ステーは、それぞれ可撓性を有する中空構造の合成樹脂材で形成されることを特徴とする請求項１乃至請求項４のいずれか1項に記載の折り畳み式看板。
【考案の詳細な説明】
【技術分野】
【０００１】
本考案は、道路や歩道、工事現場に設置される看板に係り、特に、コーンに取り付けられて保持される折り畳み式看板に関する。
【背景技術】
【０００２】
従来、歩道や道路、工事現場においては、通行人や車両へ注意喚起やルートの案内をする立て看板が設置されてきた。このような立て看板は、専ら、破損や経年劣化を防止するために一定以上の強度を持たせることを目的としており、運搬又は収納時における取り扱いのし易さについてはあまり考慮されていなかった。そのため、大きさや重量が嵩み、取り扱いが容易でないという課題を有していた。
このような課題を解決するため、近年、使用しないときにコンパクトに折り畳むことができる看板に関する技術が開発されており、それに関して既にいくつかの考案が開示されている。
【０００３】
特許文献１には「折り畳み式案内表示板」という名称で、道路上に立て掛ける案内表示板に関する考案が開示されている。
以下、特許文献１に開示された考案について説明する。特許文献１に開示された考案は、道路上で後続の車を安全な方向へ導く為の案内表示板であって、上部に所定の角度まで開閉可能な一対の扇形状の離脱防止型ヒンジ部を備え、この一対の離脱防止型ヒンジ部は、両端にそれぞれ表示板本体を係止して表裏一対とし、その上部中央には取り出し収納可能なコ字状の取手部がブラインド・リベット等の係止部材で下部二箇所を係止して設けられることを特徴とする。
このような特徴を有する考案においては、離脱防止型ヒンジ部は表示板本体から簡単に外れる心配がなく、安定した適度な角度で表示板本体を保持することができる。また、持ち運び時には取手部を上方向に持ち上げ、使用時には下方向に収納可能である。したがって、折り畳み式案内表示板は、誰でも簡単に持ち運びができ、かつ、取り扱いが容易である。
【０００４】
次に、特許文献２には「警備看板」という名称で、工事現場で使用する設備を貼付先として使用する警備看板に関する考案が開示されている。
以下、特許文献２に開示された考案について説明する。特許文献２に開示された考案は、折りたたみ可能に構成し、表側に文字、図画、写真またはこれらの組合せからなる表示部を設けてある本体板を少なくとも有することを特徴とする。
このような特徴を有する考案においては、本体部の表側には、表示部を設けており、工事看板等に本体部を貼り付けて使用する。そのため、警備看板そのものに自立機能を設ける必要が無いから、構造を簡易なものにすることができる。さらに、本体部の長手方向に所定間隔を空けて設けた折曲部において全体を折りたたみ可能に構成しているので、容易に持ち運ぶことができる。
【０００５】
さらに、特許文献３には「コーン用看板」という名称で、円錐形のコーンに止定可能な看板に関する考案が開示されている。
以下、特許文献３に開示された考案について説明する。特許文献３に開示された考案は、内面にコーンと同一角度のテーパー部を有する支持環を形成して、環内にコーンを挿入することによってコーンに止定可能にし、上記支持環の外側に、平坦状の表示板を上下方向へ回動可能に取付けたことを特徴とする。
このような特徴を有する考案においては、支持環が表示板に対して直角をなすように軸を中心として支持環を回動させた後、支持環の環内にコーンを挿入すると、表示板が鉛直方向に沿って設置されることになる。したがって、表示板に表示された文字や標識の全体を正面から明瞭に読み取ることができる。また、支持環と表示板が平行になるように折り畳むときには、コーン用看板が占めるスペースを減少させることができる。
【先行技術文献】
【特許文献】
【０００６】
【特許文献１】登録実用新案第３１０６４２３号公報
【特許文献２】登録実用新案第３２１１６９０号公報
【特許文献３】実開平２−１２８１８２号公報
【考案の概要】
【考案が解決しようとする課題】
【０００７】
しかしながら、特許文献１に開示された考案においては、表示板本体が道路に対し傾斜して設置される。そのため、表示板本体の縦方向のサイズが小さくヒンジ部が位置する高さが目の高さよりもかなり低い場合では、標識はさほど歪んでいない状態で観察される。しかし、ヒンジ部が位置する高さが目の高さに近づく場合、標識は上下方向に圧縮されるように歪んだ状態で観察される。この場合、標識に含まれる文字や図形を正確に読み取れないおそれがあり、特に走行中のドライバーにとって不利益や危険が発生することがある。
【０００８】
次に、特許文献２に開示された考案においては、道路に設置される工事看板に本体部を貼り付けて使用することから、工事看板が道路から傾斜して設置される場合は、特許文献１に開示された考案と同様に、文字等を瞬時に読み取れないおそれがある。
また、従来、工事看板は、金属製であって、設置面に対し傾斜して立設される脚部と、この脚部に対し傾斜して立て掛けられる平板からなるものが多く使用されてきた。そのため、通行人が脚部に躓いたり、平板が風で煽られたりすることで、通行人や工事看板が転倒する場合があった。しかも、平板の各コーナー部は硬く直角形状となっていることから、転倒した際にコーナー部が通行人に衝突して怪我を負わせる場合もあった。
この点について、特許文献２に開示された考案は、前述のような危険性を有する従来の工事看板を支持体として使用しており、またその危険性を軽減し得るものでもないので、本考案における従来の工事看板を含めた使用態様は、全体として安全性が良好であるとは言えない。
【０００９】
さらに、特許文献３に開示された考案においては、支持環の高さ方向の厚みが表示板の厚みの数倍以上あるため、支持環を表示板と平行になるように折り畳んだ場合であっても、支持環が表示板から突出し、全体的に薄厚にすることができない。よって、不使用時の省スペースという課題を十分に解決できたとは言えない。
【００１０】
本考案は、このような従来の事情に対処してなされたものであり、従来の金属製の工事看板の代わりにコーンに取り付けられ、設置面に対して垂直に立設できるために標識を正確に読み取ることができ、しかも可撓性を有する素材で形成されることで意図せず通行人に倒れかかった場合でも外傷の危険性を大きく減少させることが可能であり、さらにコンパクトに折り畳みできるために不使用時の省スペース効果を発揮し得る折り畳み式看板を提供することを目的とする。
【課題を解決するための手段】
【００１１】
上記目的を達成するため、第１の考案は、コーンに取り付けられて保持される折り畳み式看板であって、標識を表示するための表面を有し、コーンの長軸に沿って立設される看板部と、一端が表面の反対面へ取り付けられ、看板部に対して回動可能に構成される上部ステーと、この上部ステーの下方において、基端が反対面へ取り付けられ、看板部に対して回動可能に構成される下部ステーを備え、看板部と、上部ステーと、下部ステーは、それぞれ側面視で直線状をなしており、上部ステーは、その他端寄りに、コーンへ取り外し可能に係止される上部係止部が形成され、下部ステーは、その先端寄りに、コーンへ取り外し可能に係止される下部係止部が形成されることを特徴とする。
【００１２】
このような構成の考案において、標識とは、例えば文字や図形、色要素によって、情報伝達が可能な媒体をいい、具体的には、道路標識、工事時の通路誘導、または広告やポスター等が挙げられる。
また、上部ステー及び下部ステーをそれぞれ看板部に対して回動可能に構成するには、例えば、上部ステーの一端及び下部ステーの基端をそれぞれ折り曲げて折り曲げ部を形成し、この折り曲げ部をそれぞれ看板部に固定したり、上記一端及び基端をそれぞれヒンジを介して看板部に取り付けたりすると良い。なお、前者では、上記一端及び基端が、それぞれ可撓性を有していることが必要である。
また、看板部と、上部ステーと、下部ステーが、それぞれ側面視で直線状をなしているとは、看板部と、上部ステーと、下部ステーは、互いに同一又は異なる厚みを有していても良いが、いずれも側面視で湾曲していたり、凹凸が形成されていたりしていないという意味である。
さらに、上部係止部としては、例えば、コーンの任意の高さ位置に係止される環状部材やコーンが挿通する挿通孔が考えられる。下部係止部もこれと同様に環状部材や挿通孔が考えられる。
【００１３】
上記構成の考案においては、上部ステー及び下部ステーがそれぞれ看板部に対して回動可能であるため、上部ステー及び下部ステーをそれぞれ看板部に対して引き出し展開するとともに上部係止部及び下部係止部をコーンに係止すると、看板部が上部ステー及び下部ステーを介してコーンに取り付けられる。
また、上部ステー及び下部ステーをそれぞれコーンから取り外すと、上部ステーの他端及び下部ステーの先端を倒し、看板部に近づけることができる。これら他端及び先端を最大限倒した場合、看板部と、上部ステーと、下部ステーは、それぞれ側面視で直線状をなしているから、看板部と上部ステー及び下部ステーを折り畳んで全体的に平坦な形状に形成することができる。
【００１４】
さらに、第２の考案は、第１の考案において、上部ステー及び下部ステーは、それぞれ側面視で看板部に対して直角又は平行となるように回動可能であることを特徴とする。
このような構成の考案においては、第１の考案の作用に加えて、上部ステー及び下部ステーが、それぞれ側面視で看板部に対して直角となるとき、上部ステー及び下部ステーをそれぞれ上部係止部及び下部係止部を介してコーンへ取り付けると、看板部がコーンの長軸と平行になった状態で保持される。すなわち、看板部は、コーンが設置される設置面に対して垂直に立設される。よって、看板部の表面に標識が表示されるときに、標識が歪むことなく観察される。
また、上部ステー及び下部ステーが、それぞれ側面視で看板部に対して平行となるときには、折り畳み式看板が折り畳まれて、全体的に平坦な形状となる。
【００１５】
次に、第３の考案は、第１又は第２の考案において、上部ステーの一端を看板部に対して回動可能に取り付けるための第１のヒンジと、下部ステーの基端を看板部に対して回動可能に取り付けるための第２のヒンジを備え、上部係止部は、コーンの最上部とコーンの底部の間の体部が挿通する体部挿通孔であり、下部係止部は、コーンの底部が挿通する底部挿通孔であることを特徴とする。
このような構成の考案において、第１及び第２のヒンジとして、例えば、平蝶番、や開閉ヒンジ等のヒンジが使用される。
上記構成の考案においては、第１又は第２の考案の作用に加えて、コーンの体部及び底部が、それぞれ体部挿通孔及び底部挿通孔に挿通することで、折り畳み式看板がコーンに対し取り付けられる。なお、底部挿通孔の直径の大きさはコーンの底部の直径の大きさと略同一である。また、体部挿通孔の直径の大きさは、上部ステーの高さ位置とコーンの底部の高さ位置同士の間隔と、底部に対するコーン周面の傾斜角度の大きさ等に依存する。
【００１６】
続いて、第４の考案は、第１乃至第３のいずれかの考案において、反対面の上部と上部ステーの間に介設される上部スペーサー、又は反対面の下部と下部ステーの間に介設される下部スペーサーを備え、上部スペーサーの厚みは、下部ステーの厚みと同等であり、下部スペーサーの厚みは、上部ステーの厚みと同等であることを特徴とする。
このような構成の考案において、上部スペーサーと下部スペーサーは、上部ステー及び下部ステーをそれぞれの他端同士を重複させるように看板部に対して倒したときに、上部ステーと下部ステーがいずれも看板部に対し平行になるよう設けられるものである。
【００１７】
詳細には、上部スペーサーは、（１）下部ステーの方を上部ステーよりも先に看板部に対して平行に倒す場合を想定して設けられる。一方、下部スペーサーは、（２）上部ステーの方を下部ステーよりも先に看板部に対して平行に倒す場合を想定して設けられる。
上記構成の考案においては、第１乃至第３のいずれかの考案の作用に加えて、上記（１）の場合、後に折り畳んだ上部ステーの一端が、下部ステーの厚みによって湾曲しない。同様に、上記（２）の場合、後に折り畳んだ下部ステーの基端が、上部ステーの厚みによって湾曲しない。したがって、上記（１）又は（２）の場合、それぞれ上部ステー又は下部ステーが看板部に対し完全に平行になるので、全体的に折り畳み式看板を均一な薄厚にすることができる。
【００１８】
そして、第５の考案は、第１乃至第４のいずれかの考案において、看板部と、上部ステーと、下部ステーは、それぞれ可撓性を有する中空構造の合成樹脂材で形成されることを特徴とする。
このような構成の考案において、中空構造の合成樹脂材として、例えば、建材用や工作用に汎用されるプラスチックボードや発泡性プラスチックボード、又はメッシュ状のプラスチックボードが使用される。
上記構成の考案においては、第１乃至第４のいずれかに記載の考案の作用に加えて、看板部と、上部ステーと、下部ステーが可撓性を有するので、例えば、強風を受けたときに容易に変形し、その後の復元も可能である。また、軽量であるために、持ち運び時の負担が少なく、通行人に衝突した場合でも怪我が発生し難い。
【考案の効果】
【００１９】
第１の考案によれば、上部ステー及び下部ステーをそれぞれ看板部に対して引き出す、または倒す等の簡単な手順により、折り畳み式看板をコーンに着脱可能であるので、使い勝手が良い。また、看板部と上部ステー及び下部ステーを折り畳むことができるので、不使用時に嵩張ることがなく、運搬や保管の際に便利である。
【００２０】
第２の考案によれば、第１の考案の効果に加えて、折り畳み式看板をコーンに取り付けたり、自在に折り畳んだりすることができる。特に、折り畳み式看板がコーンに取り付けられると、看板部の表面に表示された標識を歪むことなく観察可能であるため、通行人等が標識に含まれる文字や図形を正確に読み取ることができる。
【００２１】
第３の考案によれば、第１又は第２の考案の効果に加えて、上部ステー及び下部ステーが、それぞれ第１及び第２のヒンジを介して看板部に対して取り付けられるので、上部ステー及び下部ステーの回動運動に対して耐久性を発揮可能である。
また、コーンの体部及び底部が、それぞれ体部挿通孔及び底部挿通孔に挿通することで、折り畳み式看板がコーンに取り付けられるから、取付のみならず、取り外しも手間取ることがない。さらに、底部挿通孔の直径の大きさ及び体部挿通孔の直径の大きさは、それぞれコーンのサイズから簡単に求められるため、製造も容易である。
【００２２】
第４の考案によれば、第１乃至第３のいずれかの考案の効果に加えて、上部ステーと下部ステーを折り畳んだ際に、全体的に折り畳み式看板を均一に薄厚にすることができるため、保管時における省スペース効果を良好に発揮可能である。また、折り畳みが繰り返されるうちにこれらが変形することを防止できる。
【００２３】
第５の考案によれば、第１乃至第４のいずれかの考案の効果に加えて、容易に変形や復元が可能であるとともに、持ち運び時の負担軽減や、設置時に通行人等に倒れかかることによる怪我の発生を抑制できるので、従来の看板の課題を十分に解決している。また、中空構造の合成樹脂材は、耐水性や耐候性に優れるから、耐用年数を長期にすることができる。
【図面の簡単な説明】
【００２４】
【図１】（ａ）は、実施例に係る折り畳み式看板の使用状態を示す外観図であり、（ｂ）は（ａ）におけるＡ線矢視図である。
【図２】（ａ）及び（ｂ）は、それぞれ実施例に係る折り畳み式看板を構成する上部ステー及び下部ステーの平面図であり、（ｃ）は上部ステーの断面の拡大図である。
【図３】実施例に係る折り畳み式看板を構成する上部ステー及び下部ステーを展開した場合の正面図である。
【図４】実施例に係る折り畳み式看板を構成する上部ステー及び下部ステーを折り畳んだ場合の正面図である。
【図５】（ａ）及び（ｂ）は、それぞれ実施例に係る折り畳み式看板をコーンに取り付ける際の手順を説明するための正面図である。
【図６】（ａ）は実施例に係る折り畳み式看板の使用の一態様を示す斜視図であり、（ｂ）は看板部の表面に標識が貼着される状態を示す平面図である。
【図７】（ａ）は実施例に係る折り畳み式看板の使用の一態様を示す斜視図であり、（ｂ）は看板部の表面に標識が貼着される状態を示す平面図である。
【考案を実施するための形態】
【実施例】
【００２５】
本考案の実施の形態に係る折り畳み式看板について、図１乃至図７を用いて詳細に説明する。図１（ａ）は、実施例に係る折り畳み式看板の正面図であり、図１（ｂ）は図１（ａ）におけるＡ線矢視図である。
図１（ａ）及び図１（ｂ）に示すように、実施例に係る折り畳み式看板１は、合成樹脂製のコーン５０に取り付けられて保持される折り畳み式看板である。本願では、便宜上、コーン５０を、最上部５０ａと、２段の段差Ｄ１,Ｄ２を有する底部５０ｂと、最上部５０ａと底部５０ｂの間の体部５０ｃに区分けすることにする。
折り畳み式看板１は、標識Ｓ（図６，７参照）を表示するための表面２ａを有し、コーン５０の長軸Ｙに沿って立設される看板部２と、一端３ａが表面２ａの反対面２ｂへ取り付けられ、看板部２に対して回動可能に構成される上部ステー３と、この上部ステー３の下方において、基端４ａが反対面２ｂへ取り付けられ、看板部２に対して回動可能に構成される下部ステー４を備える。
また、看板部２と、上部ステー３と、下部ステー４は、それぞれ側面視で直線状をなしている。
【００２６】
次に、上部ステー及び下部ステーのより詳細な構成について、図２を用いながら説明する。図２（ａ）及び図２（ｂ）は、それぞれ実施例に係る折り畳み式看板を構成する上部ステー及び下部ステーの平面図であり、図２（ｃ）は上部ステーの断面の拡大図である。なお、図１で示した構成要素については、図２においても同一の符号を付して、その説明を省略する。
図２（ａ）に示すように、上部ステー３は、一端３ａが上方へ直角に折り曲げられて折り曲げ部３Ａが形成される。なお、図２（ａ）では、折り曲げ部３Ａが折り曲げられた状態を示している。また、他端３ｂ寄りに、コーン５０へ取り外し可能に係止される上部係止部５が形成される。具体的には、上部係止部５は、コーン５０の体部５０ｃ（図１参照）が挿通する円形の体部挿通孔５Ａである。
また、上部ステー３の具体的なサイズは、横幅方向（Ｗ）が２６（ｃｍ）、奥行方向（Ｌ）が３２．５（ｃｍ）、厚み方向（Ｔ）（図２（ｃ）参照）が１．５（ｃｍ）である。また、体部挿通孔５Ａの直径は、１３（ｃｍ）である。
【００２７】
また、図２（ｂ）に示すように、下部ステー４は、一端４ａが下方へ直角に折り曲げられて折り曲げ部４Ａが形成される。なお、図２（ｂ）では、折り曲げ部４Ａが折り曲げられた状態を示している。また、先端４ｂ寄りに、コーン５０の底部５０ｂ（図１参照）へ取り外し可能に係止される下部係止部６が形成される。具体的には、下部係止部６は、コーン５０の底部５０ｂの、２段の段差Ｄ１,Ｄ２のうち、下から２段目の段差Ｄ２が挿通する円形の底部挿通孔６Ａである。
したがって、底部挿通孔６Ａの直径は、段差Ｄ２の直径と略同等である。また、体部挿通孔５Ａの直径は、底部挿通孔６Ａの直径と、底部挿通孔６Ａからの高さ位置と、コーン５０の頂角に基づいて決定される。
下部ステー４の具体的なサイズは、横幅方向（Ｗ）が３７（ｃｍ）、奥行方向（Ｌ）が４１（ｃｍ）、厚み方向（Ｔ）が１．５（ｃｍ）である。また、底部挿通孔６Ａの直径は、３０（ｃｍ）である。
【００２８】
さらに、図２（ｃ）に示すように、上部ステー３は、可撓性を有する中空構造の合成樹脂材で形成される。この合成樹脂材は、具体的には、ポリプロピレン製のプラスチックボードであって、一対のシート３ｃ,３ｃと、このシート３ｃ,３ｃ間に一体間隔を空けて並列する複数の隔壁３ｄからなる。このようなプラスチックボードは、可撓性を有する以外に軽量であり、さらに衝撃吸収性、耐水性、耐薬品性及び耐候性に優れている。なお、看板部２と、下部ステー４も上部ステー３と同一種類のプラスチックボードで形成される。
【００２９】
続いて、上部ステー及び下部ステーの回動構造について、図３,４を用いながら説明する。図３は、実施例に係る折り畳み式看板を構成する上部ステー及び下部ステーを展開した場合の正面図である。図４は、実施例に係る折り畳み式看板を構成する上部ステー及び下部ステーを折り畳んだ場合の正面図である。なお、図１及び図２で示した構成要素については、図３及び図４においても同一の符号を付して、その説明を省略する。
図３及び図４に示すように、折り畳み式看板１は、上部ステー３の一端３ａを看板部２の反対面２ｂに対して回動可能に取り付けるための第１のヒンジ７と、下部ステー４の基端４ａを反対面２ｂに対して回動可能に取り付けるための第２のヒンジ８と、看板部２の反対面２ｂの下方と下部ステー４の折り曲げ部４Ａの間に介設される下部スペーサー９を備える。
【００３０】
第１のヒンジ７は、軸体７ａと、この軸体７ａを中心として開閉する腕部７ｂ,７ｃからなる開閉ヒンジであって、看板部２の左右端面と上部ステー３の左右端面の交点にそれぞれ１個ずつ設けられる。また、腕部７ｂ,７ｃは、それぞれクリップ状に形成され、看板部２の左右端面と、上部ステー３の折り曲げ部３Ａの左右端面を外側から挟持可能である。これにより、上部ステー３が看板部２に対して回動可能に構成される。なお、腕部７ｂと腕部７ｃ間の開閉角度α（図４参照）の大きさは、腕部７ｂと腕部７ｃが平行になる場合を０度とすると、最大値が略９０度である。したがって、上部ステー３は、側面視で看板部２に対して略直角（α＝０度、図３参照）又は平行（｜α｜≒９０度、図４参照）となるように回動可能である。
【００３１】
また、第２のヒンジ８は、軸体８ａと、この軸体８ａを中心として開閉する羽根部８ｂ,８ｃからなる平ヒンジであって、看板部２の左右端面と下部ステー４の左右端面の交点にそれぞれ１個ずつ設けられる。また、羽根部８ｂ,８ｃは、図示しないビスにより、下部スペーサー９と、下部ステー４の折り曲げ部４Ａの間に固定される。これにより、下部ステー４が看板部２に対して回動可能に構成される。なお、羽根部８ｂと羽根部８ｃの間の開閉角度β（図４参照）は、羽根部８ｂと羽根部８ｃが平行になる場合を０度とすると、第１のヒンジ７の場合と同様に、最大値が略９０度である。これにより、下部ステー４は、側面視で看板部２に対して略直角（β＝０度、図３参照）又は平行（｜β｜≒９０度、図４参照）となるように回動可能である。
【００３２】
さらに、下部スペーサー９は、看板部２の反対面２ｂの下部にビス（図示せず）を用いて固定される、看板部２の左右端面方向に細長い平板部材であって、看板部２と同一の合成樹脂材で形成される。また、下部スペーサー９の厚みは、上部ステーの厚みと同等である。具体的には、下部スペーサー９のサイズは、縦方向（Ｈ）が２（ｃｍ）、横幅方向（Ｗ）が３７（ｃｍ）、厚み方向（Ｔ）が１．５（ｃｍ）である。
よって、図４に示すように、上部ステー３の方を下部ステー４よりも先に看板部２に対して平行に倒す場合（｜α｜≒９０度,｜β｜≒９０度）に、後に折り畳んだ下部ステー４の基端４ａが、上部ステー３の厚みによって湾曲しない。したがって、下部スペーサー９を備えることで、上部ステー３のみならず、下部ステー４も看板部２に対し完全に平行になるので、折り畳み式看板１を全体的に均一な薄厚にすることができる。
【００３３】
続いて、折り畳み式看板をコーンへ取り付ける際の手順について、図５を用いながら説明する。図５（ａ）及び図５（ｂ）は、それぞれ実施例に係る折り畳み式看板をコーンに取り付ける際の手順を説明するための正面図である。
図５（ａ）に示すように、折り畳まれた状態（図４参照）の折り畳み式看板１をコーン５０に取り付けるには、まず、折り畳み式看板１をコーン５０の上方に持ち上げた後、下部ステー４の先端４ｂを把持してコーン５０の方に倒す。これと同時に上部ステー３の他端３ｂを把持して引き上げる。そして、下部ステー４の底部挿通孔６Ａと、上部ステー３の体部挿通孔５Ａを順に最上部５０ａに被せる。
【００３４】
そして、第１のヒンジ７の開閉角度αと第２のヒンジ８の開閉角度βが最小になるよう上部ステー３と下部ステー４を回動させると、折り畳み式看板１はコーン５０に取り付けられて保持され、看板部２は側面視でコーン５０の底部５０ｂに直角をなして立設される。
なお、この場合に、下部ステー４の基端４ａ寄りと、先端４ｂ寄りに、コーン５０とともに通常使用される重錘５１をそれぞれ載せることにより、コーン５０の転倒が防止される。
【００３５】
そして、実施例に係る折り畳み式看板の使用態様について、図６を用いながら説明する。図６（ａ）は実施例に係る折り畳み式看板の使用の一態様を示す斜視図であり、図６（ｂ）は看板部の表面に標識が貼着される状態を示す平面図である。
図７（ａ）は実施例に係る折り畳み式看板の使用の一態様を示す斜視図であり、図７（ｂ）は看板部の表面に標識が貼着される状態を示す平面図である。なお、図１乃至図５で示した構成要素については、図６及び図７においても同一の符号を付して、その説明を省略する。
図６（ａ）及び図６（ｂ）に示すように、折り畳み式看板１の看板部２のサイズは、縦方向（Ｈ）が１６０（ｃｍ）、横幅方向（Ｗ）が５０（ｃｍ）、厚み方向（Ｔ）が１．５（ｃｍ）である。また、看板部２の下縁から上部ステー３の上面までの縦方向（Ｈ）の間隔は、４５（ｃｍ）である。
図６（ｂ）に示すように、看板部２のサイズとほぼ等しいサイズの標識Ｓが、看板部２の表面２ａの３箇所に貼着された面ファスナー２ｃを介し、剥離可能に取り付けられる。標識Ｓは、文字や図形のない裏面に、３箇所の面ファスナー２ｃへ係着する面ファスナー（図示せず）がそれぞれ貼着されたものである。
【００３６】
さらに、実施例に係る折り畳み式看板の使用態様について、図７を用いながら説明する。図７（ａ）は実施例に係る折り畳み式看板の使用の一態様を示す斜視図であり、図７（ｂ）は看板部の表面に標識が貼着される状態を示す平面図である。なお、図１乃至図６で示した構成要素については、図７においても同一の符号を付して、その説明を省略する。
図７（ａ）に示すように、折り畳み式看板１の看板部２のサイズは、縦方向（Ｈ）が６５（ｃｍ）、横幅方向（Ｗ）が５０（ｃｍ）、厚み方向（Ｔ）が１．５（ｃｍ）である。なお、上部ステー３と下部ステー４の縦方向の間隔は、看板部２の場合と同一の４５（ｃｍ）である。さらに、看板部２は、その上縁寄りに、持ち運び用の貫通孔２ｄが形成される。
図７（ｂ）に示すように、看板部２のサイズとほぼ等しいサイズの標識Ｓが、看板部２の表面２ａの２箇所に貼着された面ファスナー２ｃを介し、剥離可能に取り付けられる。標識Ｓは、貫通孔２ｄに対応する位置に、貫通孔ｓ１が形成されている。
【００３７】
上記構成の折り畳み式看板１によれば、図５を用いて説明したように、上部ステー３及び下部ステー４をそれぞれ第１のヒンジ７及び第２のヒンジ８を中心として回動させることにより、コーンに着脱可能であるので、使い勝手が良い。すなわち、簡単な手順によって、看板部２をコーン５０の長軸Ｙに沿って立設し標識Ｓを表示させ、又は不使用時には折り畳み式看板１を折り畳むことができる。
特に、折り畳み式看板１がコーン５０に取り付けられると、看板部２は側面視でコーン５０の底部５０ｂに直角をなして立設される。よって、看板部２の表面２ａに表示された標識Ｓを歪むことなく観察可能であるため、通行人等が標識Ｓに含まれる文字や図形を正確に読み取ることができる。
また、折り畳み式看板１をコーン５０から取り外すとき、看板部２と、上部ステー３と、下部ステー４は、それぞれ側面視で直線状をなしているとともに、下部スペーサー９を備えることで、折り畳み式看板１を全体的に均一な薄厚にすることができる。よって、折り畳み式看板１が不使用時に嵩張ることがなく、運搬を容易にし、かつ保管の際の省スペース効果を発揮可能である。また、上部ステー３及び下部ステー４の折り畳みが繰り返されるうちにこれらが変形することを防止できる。また、複数の折り畳み式看板１を折り重ねた後でも、それぞれの折り畳み式看板１が変形せず、製品寿命を延ばすことができる。
【００３８】
また、折り畳み式看板１によれば、上部ステー３及び下部ステー４が、それぞれ第１のヒンジ７及び第２のヒンジ８を介して看板部２に対して取り付けられるので、上部ステー３及び下部ステー４の回動運動に対して耐久性を発揮可能であるとともに、上部ステー３及び下部ステー４が看板部２に対して直角又は平行した状態を精度良く再現可能である。
【００３９】
また、従来の金属製の工事看板では、錆び易く製品寿命が短いほか、自動車の衝突によって工事看板を構成するビスが飛びパンクの原因になる、コーナー部に怪我防止のための緩衝材が必要になる、あるいは重量が嵩んで運搬が大きな負担になる、といった課題があった。
これに対し、看板部２、上部ステー３、下部ステー４は、いずれも可撓性を有する中空構造の合成樹脂材で形成されるため、上記のような課題を十分に解決できる。また、看板部２が道路に対して直立している場合においても、看板部２が受ける風抵抗を看板部２自体が撓むことによって逃がすことができるので、その破損を防止することができる。また、万一、折り畳み式看板１に通行人や自動車が衝突した場合であっても容易に変形し易く、衝撃を吸収するので、怪我や自動車の損傷が発生し難く安全性が高い。
さらに、看板部２、上部ステー３、下部ステー４のいずれかが破損した場合は、第１のヒンジ７及び第２のヒンジ８を取り外すことによって、破損した部分を交換できるから、経済性も良好である。
【００４０】
なお、本考案に係る折り畳み式看板は、実施例に示すものに限定されない。例えば、上部ステー３の折り曲げ部３Ａは、上部ステー３の一端３ａが下方へ折り曲げられて形成されても良い。また、下部ステー４の折り曲げ部４Ａも、一端４ａが上方へ折り曲げられて形成されても良い。この場合、第１のヒンジ７及び第２のヒンジ８の取付位置は、実施例と異なる位置に調整される。
さらに、第１のヒンジ７及び第２のヒンジ８は、それぞれ開閉ヒンジ及び平ヒンジ以外のヒンジが使用されても良い。そして、下部スペーサー９の代わりに、看板部２の反対面２ｂの上部と上部ステー３の間に上部スペーサーが介設されても良い。
加えて、体部挿通孔５Ａや底部挿通孔６Ａの平面形状は、図示されるような円形に限定される必要はなく、コーン５０の所望の位置にそれぞれを掛止させることができるようそれぞれの直径が設定されていれば、図示される以外の形状でもよい。
また、本考案に係る折り畳み式看板１を構成するそれぞれのパーツの材質も必ずしも一様にする必要はなく、繰り返しの使用により疲労や変形が生じやすい部分を補強しておいてもよい。その場合は、折畳み時に、上部ステー３や下部ステー４を回動させた際にこれらが干渉することがないように、スペーサー９の厚みを適宜調整しておくとよい。
【産業上の利用可能性】
【００４１】
本考案は、コーンに取り付けられて歩道や道路に設置される折り畳み式看板として利用可能である。
【符号の説明】
【００４２】
１…折り畳み式看板  ２…看板部  ２ａ…表面  ２ｂ…反対面  ２ｃ…面ファスナー  ２ｄ…貫通孔  ３…上部ステー  ３ａ…一端  ３ｂ…他端  ３Ａ…折り曲げ部  ３ｃ…シート  ３ｄ…隔壁  ４…下部ステー  ４ａ…基端  ４ｂ…先端  ４Ａ…折り曲げ部  ５…上部係止部  ５Ａ…体部挿通孔  ６…下部係止部  ６Ａ…底部挿通孔  ７…第１のヒンジ  ７ａ…軸体  ７ｂ,７ｃ…腕部  ８…第２のヒンジ  ８ａ…軸体  ８ｂ,８ｃ…羽根部  ９…下部スペーサー  ５０…コーン  ５０ａ…最上部  ５０ｂ…底部  ５０ｃ…体部  Ｄ１,Ｄ２…段差  ５１…重錘  Ｓ…標識  ｓ１…貫通孔
【図１】
0003218807.tif 000003
【図２】
0003218807.tif 000004
【図３】
0003218807.tif 000005
【図４】
0003218807.tif 000006
【図５】
0003218807.tif 000007
【図６】
0003218807.tif 000008
【図７】
0003218807.tif 000009